(57)【特許請求の範囲】
【請求項１】
真空バルブと、軸心を前記真空バルブの電極間開閉方向と直交するように配設された主軸と、前記主軸と直交するように前記主軸に固着された駆動レバーと、前記駆動レバーの一方側に連結される出力リンクを有し、前記駆動レバーを介して前記主軸を回動させる操作機構部と、一方側が前記真空バルブの可動通電軸に連結され、他方側が前記駆動レバーの他方側に連結され、前記主軸の回動に連動して前記真空バルブの電極間開閉方向に移動し、前記真空バルブの電極間を開閉する操作ロッドとを備えた真空開閉装置において、前記操作機構部は、前記駆動レバーの一方側に連結される第１の出力リンクを有し、前記駆動レバーを介して前記主軸を回動させる第１の操作機構部と、前記駆動レバーの一方側に連結される第２の出力リンクを有し、前記駆動レバーを介して前記主軸を回動させる第２の操作機構部とにより構成され、前記第１の操作機構部と前記第２の操作機構部とは切り替え動作により前記駆動レバーを介して前記主軸を回動させるようにしたことを特徴とする真空開閉装置。
【請求項２】
前記第１の操作機構部は、第１のモータにより駆動される第１の蓄勢軸と、前記第１の蓄勢軸により駆動される第１の駆動体と、前記第１の駆動体と一体的に構成され、前記第１の駆動体と連動して回動する第１の投入カムと、前記第１の投入カムにより回動されるとともに前記第１の出力リンクと連結される第１の出力レバーと、第１の投入コイルにより作動される第１の投入ラッチと、前記第１の駆動体と一体的に構成され、前記第１の駆動体と連動して回動するとともに第１の投入ラッチと係合される第１の投入ラッチローラと、一方側が前記第１の駆動体に枢着され、他方側が第１の投入ばねと連結され、前記第１の駆動体の回動により前記第１の投入ばねを蓄勢および放勢する第１の投入ばねロッドと、前記第１の出力レバーの回動により前記第１の出力レバーと係合される第１の引き外しラッチと、前記第１の引き外しラッチを吸引して前記第１の出力レバーと前記第１の引き外しラッチとの係合状態を保持する第１の保持コイルとから構成され、前記第２の操作機構部は、第２のモータにより駆動される第２の蓄勢軸と、前記第２の蓄勢軸により駆動される第２の駆動体と、前記第２の駆動体と一体的に構成され、前記第２の駆動体と連動して回動する第２の投入カムと、前記第２の投入カムにより回動されるとともに前記第２の出力リンクと連結される第２の出力レバーと、第２の投入コイルにより作動される第２の投入ラッチと、前記第２の駆動体と一体的に構成され、前記第２の駆動体と連動して回動するとともに第２の投入ラッチと係合される第２の投入ラッチローラと、一方側が前記第２の駆動体に枢着され、他方側が第２の投入ばねと連結され、前記第２の駆動体の回動により前記第２の投入ばねを蓄勢および放勢する第２の投入ばねロッドとから構成されることを特徴とする請求項１に記載の真空開閉装置。
【発明の詳細な説明】
【技術分野】
【０００１】
この発明は、例えば電力用の送配電設備あるいは受電設備などに用いられ、可動通電部に連結された操作ロッドとこの操作ロッドを蓄勢された投入エネルギーにより駆動する操作機構部とを備えた真空開閉装置に関するものである。
【背景技術】
【０００２】
従来の真空開閉装置としては、図１３に示すものがある。図１３は真空開閉装置を示す断面側面図である。図１３においては、操作機構部１４の図示しない駆動源、すなわち、投入ばね（図示せず）を蓄勢し、その蓄勢された投入エネルギーにより出力リンク１４ｂを駆動し、その出力リンク１４ｂの駆動と連動して駆動レバー１６主軸１５とともにその主軸１５の軸心周りに反時計回りに回動し、駆動レバー１６の他方側１６ｂに連結された絶縁された操作ロッド１３が上方に押し上げられる。操作ロッド１３の上端側である一方側１３ａに連結された可動通電軸８が上方に移動し、可動通電軸８の可動側電極７が固定通電軸６の固定側電極５に接触する。固定側電極５と可動側電極７とが接触することにより真空バルブ１の電極間が閉極される。このとき、投入ばね（図示せず）を蓄勢力は放勢されるので、次の投入動作に対して投入ばね（図示せず）は蓄勢されていく。
【０００３】
また、真空バルブ１の電極間を開極する場合には、操作機構部１４の図示しない駆動源により出力リンク１４ｂを閉極時の動作とは逆方向に駆動し、その出力リンク１４ｂの駆動と連動して主軸１５とともにその主軸１５の軸心周りに時計回りに回動し、駆動レバー１６の他方側１６ｂに連結された操作ロッド１３が下方に押し下げられる。操作ロッド１３の上端側である一方側１３ａに連結された可動通電軸８が下方に移動し、可動通電軸８の可動側電極７が固定通電軸６の固定側電極５から離間して接触状態が開放される。固定側電極５と可動側電極７との接触状態が開放されることにより真空バルブ１の電極間が開極される。
【０００４】
このような、真空バルブ１の電極間の閉極動作、開極動作は数秒間隔で繰り返し行われるようになっている。
【先行技術文献】
【特許文献】
【０００５】
【特許文献１】特開２０００−３５３４６０号公報
【発明の概要】
【発明が解決しようとする課題】
【０００６】
上述した従来の真空開閉装置においては、真空バルブ１の電極間の閉極動作、開極動作を行うための操作機構部１４は１台のみであり、操作機構部１４の投入ばね（図示せず）が放勢した後は投入ばね（図示せず）は投入エネルギーを蓄勢中であるので、投入動作ができないという課題がある。
【０００７】
また、真空バルブ１の電極間の閉極動作、開極動作に伴う操作機構部１４に掛かる負荷が大きくなってしまい長寿命化を図ることができないという課題がある。
【０００８】
また、操作機構部１４は１台のみであり、その操作機構部１４に異常が発生した場合には、投入エネルギーを蓄勢することができなくなり、真空バルブ１の電極間の閉極動作のための再投入に支障を来すという課題がある。
【０００９】
この発明は上記のような課題を解決するためになされたものであり、操作機構部を複数の操作機構部で構成し、切り替え動作により選択された操作機構部により、真空バルブの電極間の閉極動作、開極動作を行うことができ、安定した信頼性の高い真空開閉装置を提供することを目的とする。
【課題を解決するための手段】
【００１０】
この発明に係わる真空開閉装置は、真空バルブと、軸心を前記真空バルブの電極間開閉方向と直交するように配設された主軸と、前記主軸と直交するように前記主軸に固着された駆動レバーと、前記駆動レバーの一方側に連結される出力リンクを有し、前記駆動レバーを介して前記主軸を回動させる操作機構部と、一方側が前記真空バルブの可動通電軸に連結され、他方側が前記駆動レバーの他方側に連結され、前記主軸の回動に連動して前記真空バルブの電極間開閉方向に移動し、前記真空バルブの電極間を開閉する操作ロッドとを備えた真空開閉装置において、前記操作機構部は、前記駆動レバーの一方側に連結される第１の出力リンクを有し、前記駆動レバーを介して前記主軸を回動させる第１の操作機構部と、前記駆動レバーの一方側に連結される第２の出力リンクを有し、前記駆動レバーを介して前記主軸を回動させる第２の操作機構部とにより構成され、前記第１の操作機構部と前記第２の操作機構部とは切り替え動作により前記駆動レバーを介して前記主軸を回動させるようにしたものである。
【発明の効果】
【００１１】
この発明に係わる真空開閉装置は、操作機構部を複数の操作機構部で構成し、切り替え動作により選択された操作機構部により、真空バルブの電極間の閉極動作、開極動作を行うようにしたので、安定した信頼性の高い真空開閉装置を得ることができる。
【図面の簡単な説明】
【００１２】
【図１】この発明の実施の形態１に係わる真空開閉装置を示す一部断面で示す正面図である。
【図２】この発明の実施の形態１に係わる真空開閉装置を示す一部断面で示す平面図である。
【図３】この発明の実施の形態１に係わる真空開閉装置を示す一部断面で示す側面図である。
【００１３】
【図４】この発明の実施の形態１に係わる真空開閉装置における開路状態（投入ばね放勢状態）を示す模式図である。
【図５】この発明の実施の形態１に係わる真空開閉装置における開路状態（投入ばね蓄勢状態）を示す模式図である。
【図６】この発明の実施の形態１に係わる真空開閉装置における閉路動作中（投入ばね放勢中）を示す模式図である。
【図７】この発明の実施の形態１に係わる真空開閉装置における閉路状態（投入ばね放勢状態）を示す模式図である。
【図８】この発明の実施の形態１に係わる真空開閉装置における閉路状態（投入ばね蓄勢状態）を示す模式図である。
【００１４】
【図９】この発明の実施の形態１に係わる真空開閉装置における開路状態（投入ばね蓄勢状態）を示す模式図である。
【図１０】この発明の実施の形態１に係わる真空開閉装置における閉路動作中（投入ばね放勢中）を示す模式図である。
【図１１】この発明の実施の形態１に係わる真空開閉装置における閉路状態（投入ばね放勢状態）を示す模式図である。
【図１２】この発明の実施の形態１に係わる真空開閉装置閉路状態（投入ばね蓄勢状態）を示す模式図である。
【図１３】従来の真空開閉装置を示す断面側面図である。
【発明を実施するための形態】
【００１５】
実施の形態１．
以下、この発明の実施の形態１を図１〜図１２に基づいて説明する。図１はこの発明の実施の形態１に係わる真空開閉装置を示す一部断面で示す正面図である。図２はこの発明の実施の形態１に係わる真空開閉装置を示す一部断面で示す平面図である。図３はこの発明の実施の形態１に係わる真空開閉装置を示す一部断面で示す側面図である。図４はこの発明の実施の形態１に係わる真空開閉装置における開路状態（投入ばね放勢状態）を示す模式図である。図５はこの発明の実施の形態１に係わる真空開閉装置における開路状態（投入ばね蓄勢状態）を示す模式図である。図６はこの発明の実施の形態１に係わる真空開閉装置における閉路動作中（投入ばね放勢中）を示す模式図である。図７はこの発明の実施の形態１に係わる真空開閉装置における閉路状態（投入ばね放勢状態）を示す模式図である。図８はこの発明の実施の形態１に係わる真空開閉装置における閉路状態（投入ばね蓄勢状態）を示す模式図である。図９はこの発明の実施の形態１に係わる真空開閉装置における開路状態（投入ばね蓄勢状態）を示す模式図である。図１０はこの発明の実施の形態１に係わる真空開閉装置における閉路動作中（投入ばね放勢中）を示す模式図である。図１１はこの発明の実施の形態１に係わる真空開閉装置における閉路状態（投入ばね放勢状態）を示す模式図である。図１２はこの発明の実施の形態１に係わる真空開閉装置閉路状態（投入ばね蓄勢状態）を示す模式図である。
【００１６】
これら各図において、２０は真空開閉装置を構成する単極部であり、図は一例として三相の場合を示しており、単極部２０が３個配置されて三相構成とされている。２１は車輪２２が取り付けられた基台フレーム、２３は基台フレーム２１上に取り付けられた中空の支持碍子であり、支持碍子２３内を後述する操作ロッド３８が挿通される。２４は支持碍子２３の上方側に配置された例えば中空の支持碍子であり、支持碍子２４内に後述する真空バルブ２６が配設される。２５は支持碍子２４と支持碍子２３との間に配置された中空の連結体である。
【００１７】
２６は支持碍子２４内に配設された真空バルブ、２７は支持碍子２４の上部側に取り付けられた上部側端子導体であり、上部側端子導体取付板２８により取り付けられている。２９は真空バルブ２６内に配置され、固定通電軸３０に固着された固定側電極であり、固定通電軸３０を通して上部側端子導体２７と電気的に接続される。３１は真空バルブ１内に配置され、固定側電極２９と相対して対向し可動通電軸３２に固着された可動側電極である。３３は支持碍子２４の下部側に取り付けられた下部側端子導体であり、下部側端子導体取付板３４により取り付けられている。
【００１８】
３５は真空バルブ２６外に延在する可動通電軸３２と下部側端子導体３３とを電気的に接続する可撓性導体である。３６は上部側端子導体２７の支持碍子２４外に伸張する端部に設けられた上部側ジャンクション、３７は下部側端子導体３３の支持碍子２４外に伸張する端部に設けられた下部側ジャンクションである。
【００１９】
３８は支持碍子２３内を挿通する絶縁された操作ロッドであり、この操作ロッド３８の一方側、すなわち、上端側が連結体２５内を通して可動通電軸３２の真空バルブ２６外に延在する下端部に取り付けられ、この操作ロッド３８の他方側、すなわち、下端側が基台フレーム２１内に挿通されて基台フレーム２１内に位置している。
【００２０】
３９は軸心を真空バルブ２６の固定側電極２９と可動側電極３１間の開閉方向、すなわち、操作ロッド３８の軸心と直交するように配設された主軸であり、基台フレーム２１内に軸支されている。４０は主軸３９に固着された駆動レバーであり、この駆動レバー４０の一方側４０ａが後述する第１の操作機構部１００および第２の操作機構部２００の第１の出力リンクおよび第２の出力リンクにピン４１により連結され、駆動レバー４０を介し
て主軸３９を回動させる。また、駆動レバー４０の他方側４０ｂは操作ロッド３８の下端側である他方側に回動自在にピン４２により連結されている。４３は開放ばね、４４は接圧ばね、４５はダンパーである。
【００２１】
そして、真空バルブ２６の固定側電極２９と可動側電極３１間の開極動作および閉極動作は複数の操作機構部により行われ、切り替え動作により選択された操作機構部により、駆動レバー４０を介して主軸３９を回動させることによって操作ロッド３８が上下方向に作動され、真空バルブ２６の固定側電極２９と可動側電極３１間の開極動作および閉極動作が行われる。
【００２２】
図は一例として、この実施の形態１における操作機構部は、駆動レバー４０の一方側４０ａに連結される第１の出力リンク１０１を有し、駆動レバー４０を介して主軸３９を回動させる第１の操作機構部１００と、駆動レバー４０の一方側４０ａに連結される第２の出力リンク２０１を有し、駆動レバー４０を介して主軸３９を回動させる第２の操作機構部２００とにより構成された場合を示し、第１の操作機構部１００と第２の操作機構部２００とは切り替え動作により駆動レバー４０を介して主軸３９を回動させるように構成されている。
【００２３】
第１の操作機構部１００は、第１の投入ばね手動蓄勢用軸１０２と、第１のモータ１０３と、第１のモータ１０３の第１のモータ出力軸（歯車）１０４により第１の小歯車１０５に係合されて駆動される第１の蓄勢軸１０６と、第１の蓄勢軸１０６により駆動される第１の駆動体（大歯車）１０７と、第１の駆動体１０７と第１の支軸１０８を介して一体的に構成され、第１の駆動体１０７と連動して回動する第１の投入カム１０９と、第１の投入カム１０９により第１の出力ローラ１１０が押し下げられると第１の出力軸１１１を支点に反時計方向に回動されるとともに第１の出力リンク１０１と連結される第１の出力レバー１１２と、第１の投入コイル１１３により作動される第１の投入ラッチ１１４と、第１の駆動体１０７と一体的に構成され、第１の駆動体１０７と連動して回動するとともに第１の投入ラッチ１１４の第１のラッチ係合部１１４ａと係合される第１の投入ラッチローラ１１５と、一方側が第１の駆動体１０７に枢着され、他方側が第１の投入ばね１１６と連結され、第１の駆動体１０７の回動により第１の投入ばね１１６を蓄勢および放勢する第１の投入ばねロッド１１７と、第１の出力レバー１１２の回動により第１の出力レバー１１２の第１のピン１１８と係合部１１９ａが係合される第１の引き外しラッチ１１９と、第１の引き外しラッチ１１９を吸引して第１の出力レバー１１２の第１のピン１１８と第１の引き外しラッチ１１９の係合部１１９ａとの係合状態を保持する第１の保持コイル１２０とから構成されている。なお、１２１は第１の投入ラッチ復帰ばね、１２２は第１の引き外しラッチ復帰ばねである。
【００２４】
第２の操作機構部２００は、第２の投入ばね手動蓄勢用軸２０２と、第２のモータ２０３と、第２のモータ２０３の第２のモータ出力軸（歯車）２０４により第２の小歯車２０５に係合されて駆動される第２の蓄勢軸２０６と、第２の蓄勢軸２０６により駆動される第２の駆動体（大歯車）２０７と、第２の駆動体２０７と第２の支軸２０８を介して一体的に構成され、第２の駆動体２０７と連動して回動する第２の投入カム２０９と、第２の投入カム２０９により第２の出力ローラ２１０が押し下げられると第２の出力軸２１１を支点に反時計方向に回動されるとともに第２の出力リンク２０１と連結される第２の出力レバー２１２と、第２の投入コイル２１３により作動される第２の投入ラッチ２１４と、第２の駆動体２０７と一体的に構成され、第２の駆動体２０７と連動して回動するとともに第２の投入ラッチ２１４の第２のラッチ係合部２１４ａと係合される第２の投入ラッチローラ２１５と、一方側が第２の駆動体２０７に枢着され、他方側が第２の投入ばね２１６と連結され、第２の駆動体２０７の回動により第２の投入ばね２１６を蓄勢および放勢する第２の投入ばねロッド２１７とから構成されている。なお、２２１は第２の投入ラッチ復帰ばねである。
【００２５】
次に、図４〜図１２の模式図に基づいて動作について説明する。図４は真空バルブ２６が開路状態であり、駆動レバー４０の一方側４０ａに連結された第１の操作機構部１００および第２の操作機構部２００はともに第１の投入ばね１１６および第２の投入ばね２１６は放勢状態を示している。
【００２６】
図４の状態から真空バルブ２６を投入、すなわち、真空バルブ２６を閉路して真空バルブ２６の固定側電極２９と可動側電極３１を閉路状態とするには、第１の操作機構部１００の第１のモータ１０３を駆動し、第２の操作機構部２００の第２のモータ２０３を駆動する。第１のモータ１０３の第１のモータ出力軸（歯車）１０４および第２のモータ２０３の第２のモータ出力軸（歯車）２０４は時計方向に回転する。
【００２７】
第１のモータ出力軸（歯車）１０４および第２のモータ出力軸（歯車）２０４の回転により、第１のモータ出力軸（歯車）１０４および第２のモータ出力軸（歯車）２０４と合された第１の小歯車１０５および第２の小歯車２０５が反時計方向に回転する。第１の小歯車１０５および第２の小歯車２０５に係合された第１の蓄勢軸１０６および第２の蓄勢軸２０６も同様に反時計方向に回転する。
【００２８】
第１の蓄勢軸１０６および第２の蓄勢軸２０６の回転により、第１の蓄勢軸１０６および第２の蓄勢軸２０６と合された第１の駆動体（大歯車）１０７および第２の駆動体（大歯車）２０７が時計方向に回転する。
【００２９】
第１の駆動体（大歯車）１０７および第２の駆動体（大歯車）２０７が時計方向に回転すると、第１の駆動体（大歯車）１０７および第２の駆動体（大歯車）２０７に第１の支軸１０８および第２の支軸２０８を介して一体的に構成された第１の投入カム１０９および第２の投入カム２０９も連動して時計方向に回動する。
【００３０】
また、第１の駆動体（大歯車）１０７および第２の駆動体（大歯車）２０７が時計方向に回転すると、図５に示すように、第１の投入ラッチローラ１１５および第２の投入ラッチローラ２１５も連動して時計方向に回動し、第１の投入ラッチローラ１１５および第２の投入ラッチローラ２１５は第１の投入ラッチ１１４の第１のラッチ係合部１１４ａおよび第２の投入ラッチ２１４の第２のラッチ係合部２１４ａと係合され、第１の駆動体（大歯車）１０７および第２の駆動体（大歯車）２０７の回動が停止される。
【００３１】
そして、第１の投入ばねロッド１１７および第２の投入ばねロッド２１７は、図４においては上死点位置にあり、第１の投入ばね１１６および第２の投入ばね２１６が放勢状態であるが、第１の駆動体（大歯車）１０７および第２の駆動体（大歯車）２０７が時計方向に回転すると、第１の投入ばねロッド１１７および第２の投入ばねロッド２１７の上端部は時計方向に回動し、図５に示すように、第１の投入ばねロッド１１７および第２の投入ばねロッド２１７は下死点位置まで回動して第１の投入ばね１１６および第２の投入ばね２１６が蓄勢状態に保持される。
【００３２】
図５に示すように、真空バルブ２６は開路状態であり、第１の投入ばね１１６および第２の投入ばね２１６が蓄勢状態に保持されることにより、真空バルブ２６を閉路状態とするための投入準備が完了する。このように、第１の操作機構部１００および第２の操作機構部２００ともに投入準備が完了した状態となり、第１の操作機構部１００あるいは第２の操作機構部２００のいずれか一方を駆動させることにより、真空バルブ２６を閉路状態とさせることが可能となる。
【００３３】
この実施の形態１は一例として、まず最初に、第１の操作機構部１００の第１の投入ばね１１６に蓄勢された投入エネルギーを使用させることにより、真空バルブ２６を閉路状態とさせ、第２回目は第２の操作機構部２００の第２の投入ばね２１６に蓄勢された投入エネルギーを使用させることにより、真空バルブ２６を閉路状態とさせる。以降、交互に使用させることにより、真空バルブ２６を閉路状態とさせる場合を示している。
【００３４】
図６は第１の操作機構部１００の第１の投入コイル１１３に投入信号が入力され、真空バルブ２６が閉路動作中の場合を示している。すなわち、図５の状態において、投入信号が入力されることにより第１の投入コイル１１３が励磁され、第１の投入コイル１１３が励磁されることにより第１の投入ラッチ１１４が時計方向に回動し、第１の投入ラッチ１１４が時計方向に回動することにより第１の投入ラッチローラ１１５と第１の投入ラッチ１１４の第１のラッチ係合部１１４ａとの係合状態が解除される。
【００３５】
第１の投入ラッチローラ１１５と第１の投入ラッチ１１４の第１のラッチ係合部１１４ａとの係合状態が解除されると、蓄勢されていた第１の投入ばね１１６の投入エネルギーが放勢されていく。この第１の投入ばね１１６の投入エネルギーの放勢力により第１の駆動体（大歯車）１０７が時計方向に回転し、第１の駆動体（大歯車）１０７に同軸上である第１の支軸１０８を介して一体的に構成された第１の投入カム１０９も回動する。
【００３６】
第１の投入カム１０９が回動すると、その第１の投入カム１０９により第１の出力ローラ１１０が押し下げられる。第１の出力ローラ１１０が押し下げられることにより第１の出力レバー１１２は第１の出力軸１１１を支点に反時計方向に回動する。なお、第１の出力レバー１１２と連動して第２の出力レバー２１２も第２の出力軸２１１を支点に反時計方向に回動する。
【００３７】
第１の出力レバー１１２および第２の出力レバー２１２が反時計方向に回動することにより、第１の出力リンク１０１および第２の出力リンク２０１が下方向に動き、その第１の出力リンク１０１および第２の出力リンク２０１に連結された駆動レバー４０が主軸３９を支点に反時計方向に回動していく。駆動レバー４０が反時計方向に回動していくことにより、駆動レバー４０の他方側４０ｂに連結された操作ロッド３８が上方向に動いていき、真空バルブ２６の固定側電極２９と可動側電極３１間の閉路に向けた動作がなされていく。
【００３８】
そして、第１の投入ばね１１６の投入エネルギーが上死点位置まですべて放勢されると、第１の投入ばね１１６の投入エネルギーの放勢力により第１の駆動体（大歯車）１０７がさらに時計方向に回転し、第１の駆動体（大歯車）１０７に同軸上である第１の支軸１０８を介して一体的に構成された第１の投入カム１０９もさらに回動することにより第１の出力レバー１１２がさらに反時計方向に回動する。なお、第１の出力レバー１１２と連動して第２の出力レバー２１２もさらに反時計方向に回動する。
【００３９】
また、第１の引き外しラッチ１１９が第１の引き外しラッチ復帰ばね１２２により時計方向に回動し、図７に示すように、第１の出力レバー１１２の第１のピン１１８と第１の引き外しラッチ１１９の係合部１１９ａとが係合する。
【００４０】
このように、第１の投入ばね１１６の投入エネルギーが上死点位置まですべて放勢されると、図７に示すように、真空バルブ２６の固定側電極２９と可動側電極３１間の閉路動作が完了し、接圧ばね４４により固定側電極２９と可動側電極３１間に接触圧力が加えられている。すなわち、真空バルブ２６の投入が完了する。そして、第１の保持コイル１２０を励磁して第１の引き外しラッチ１１９を吸引して保持することにより、第１の出力レバー１１２の第１のピン１１８と第１の引き外しラッチ１１９の係合部１１９ａとの係合状態を保持する。第１の出力レバー１１２の第１のピン１１８と第１の引き外しラッチ１１９の係合部１１９ａとの係合状態が保持されることにより、真空バルブ２６の閉路状態を保持することができる。
【００４１】
また、次の真空バルブ２６の投入の準備として、投入エネルギーのすべてが放勢された第１の投入ばね１１６の蓄勢を行う。第１の操作機構部１００の第１のモータ１０３を駆動する。第１のモータ１０３の第１のモータ出力軸（歯車）１０４は時計方向に回転する。
【００４２】
第１のモータ出力軸（歯車）１０４の回転により、第１のモータ出力軸（歯車）１０４と合された第１の小歯車１０５が反時計方向に回転する。第１の小歯車１０５に係合された第１の蓄勢軸１０６も同様に反時計方向に回転する。
【００４３】
第１の蓄勢軸１０６の回転により、第１の蓄勢軸１０６と合された第１の駆動体（大歯車）１０７が時計方向に回転する。
【００４４】
第１の駆動体（大歯車）１０７が時計方向に回転すると、第１の駆動体（大歯車）１０７に第１の支軸１０８を介して一体的に構成された第１の投入カム１０９も連動して時計方向に回動する。
【００４５】
また、第１の駆動体（大歯車）１０７が時計方向に回転すると、図８に示すように、第１の投入ラッチローラ１１５も連動して時計方向に回動し、第１の投入ラッチローラ１１５は第１の投入ラッチ１１４の第１のラッチ係合部１１４ａと係合され、第１の駆動体（大歯車）１０７の回動が停止される。
【００４６】
そして、第１の投入ばねロッド１１７は、図７においては上死点位置にあり、第１の投入ばね１１６が放勢状態であるが、第１の駆動体（大歯車）１０７が時計方向に回転すると、第１の投入ばねロッド１１７の上端部は時計方向に回動し、図８に示すように、第１の投入ばねロッド１１７は下死点位置まで回動して第１の投入ばね１１６が蓄勢状態に保持される。
【００４７】
図８に示すように、真空バルブ２６は閉路状態であり、第１の投入ばね１１６および第２の投入ばね２１６が蓄勢状態に保持されることにより、次の真空バルブ２６を閉路状態とするための投入準備が完了する。このように、第１の操作機構部１００および第２の操作機構部２００ともに投入準備が完了した状態となり、第１の操作機構部１００あるいは第２の操作機構部２００のいずれか一方を駆動させることにより、真空バルブ２６を閉路状態とさせることが可能となる。
【００４８】
この状態で真空開閉装置がトリップすると、トリップ信号に基づき第１の保持コイル１２０が消磁されて第１の引き外しラッチ１１９の吸引状態が解除され、第１の引き外しラッチ１１９は反時計方向に回動する。この第１の引き外しラッチ１１９の反時計方向への回動により、図９に示すように、第１の出力レバー１１２の第１のピン１１８と第１の引き外しラッチ１１９の係合部１１９ａとの係合状態が解除される。
【００４９】
第１の出力レバー１１２の第１のピン１１８と第１の引き外しラッチ１１９の係合部１１９ａとの係合状態が解除されると、第１の出力レバー１１２および第２の出力レバー２１２は時計方向に回動する。第１の出力レバー１１２および第２の出力レバー２１２が時計方向に回動することにより、第１の出力リンク１０１および第２の出力リンク２０１が上方向に動き、その第１の出力リンク１０１および第２の出力リンク２０１に連結された駆動レバー４０が主軸３９を支点に時計方向に回動する。駆動レバー４０が時計方向に回動することにより、駆動レバー４０の他方側４０ｂに連結された操作ロッド３８が下方向に動いて、真空バルブ２６の固定側電極２９から可動側電極３１が離間し、図９に示すように、真空バルブ２６が開路状態となる。
【００５０】
次の真空バルブ２６への投入指令は、図１０に示すように、第２の操作機構部２００の第２の投入コイル２１３に投入信号が入力され、真空バルブ２６が閉路動作中の場合を示している。すなわち、図９の状態において、投入信号が入力されることにより第２の投入コイル２１３が励磁され、第２の投入コイル２１３が励磁されることにより第２の投入ラッチ２１４が時計方向に回動し、第２の投入ラッチ２１４が時計方向に回動することにより第２の投入ラッチローラ２１５と第２の投入ラッチ２１４の第２のラッチ係合部２１４ａとの係合状態が解除される。
【００５１】
第２の投入ラッチローラ２１５と第２の投入ラッチ２１４の第２のラッチ係合部２１４ａとの係合状態が解除されると、蓄勢されていた第２の投入ばね２１６の投入エネルギーが放勢されていく。この第２の投入ばね２１６の投入エネルギーの放勢力により第２の駆動体（大歯車）２０７が時計方向に回転し、第２の駆動体（大歯車）２０７に同軸上である第２の支軸２０８を介して一体的に構成された第２の投入カム２０９も回動する。
【００５２】
第２の投入カム２０９が回動すると、その第２の投入カム２０９により第２の出力ローラ２１０が押し下げられる。第２の出力ローラ２１０が押し下げられることにより第２の出力レバー２１２は第２の出力軸２１１を支点に反時計方向に回動する。なお、第２の出力レバー２１２と連動して第１の出力レバー１１２も第１の出力軸１１１を支点に反時計方向に回動する。
【００５３】
第２の出力レバー２１２および第１の出力レバー１１２が反時計方向に回動することにより、第２の出力リンク２０１および第１の出力リンク１０１が下方向に動き、その第２の出力リンク２０１および第１の出力リンク１０１に連結された駆動レバー４０が主軸３９を支点に反時計方向に回動していく。駆動レバー４０が反時計方向に回動していくことにより、駆動レバー４０の他方側４０ｂに連結された操作ロッド３８が上方向に動いていき、真空バルブ２６の固定側電極２９と可動側電極３１間の閉路に向けた動作がなされていく。
【００５４】
そして、第２の投入ばね２１６の投入エネルギーが上死点位置まですべて放勢されると、第２の投入ばね２１６の投入エネルギーの放勢力により第２の駆動体（大歯車）２０７がさらに時計方向に回転し、第２の駆動体（大歯車）２０７に同軸上である第２の支軸２０８を介して一体的に構成された第２の投入カム２０９もさらに回動することにより第２の出力レバー２１２がさらに反時計方向に回動する。また、第１の引き外しラッチ１１９が第１の引き外しラッチ復帰ばね１２２により時計方向に回動し、図１１に示すように、第１の出力レバー１１２の第１のピン１１８と第１の引き外しラッチ１１９の係合部１１９ａとが係合する。
【００５５】
このように、第２の投入ばね２１６の投入エネルギーが上死点位置まですべて放勢されると、図１１に示すように、真空バルブ２６の固定側電極２９と可動側電極３１間の閉路動作が完了し、接圧ばね４４により固定側電極２９と可動側電極３１間に接触圧力が加えられている。すなわち、真空バルブ２６の投入が完了する。そして、第１の保持コイル１２０を励磁して第１の引き外しラッチ１１９を吸引して保持することにより、第１の出力レバー１１２の第１のピン１１８と第１の引き外しラッチ１１９の係合部１１９ａとの係合状態を保持する。第１の出力レバー１１２の第１のピン１１８と第１の引き外しラッチ１１９の係合部１１９ａとの係合状態が保持されることにより、真空バルブ２６の閉路状態を保持することができる。
【００５６】
また、次の真空バルブ２６の投入の準備として、投入エネルギーのすべてが放勢された第２の投入ばね２１６の蓄勢を行う。第２の操作機構部２００の第２のモータ２０３を駆動する。第２のモータ２０３の第２のモータ出力軸（歯車）２０４は時計方向に回転する。
【００５７】
第２のモータ出力軸（歯車）２０４の回転により、第２のモータ出力軸（歯車）２０４と合された第２の小歯車２０５が反時計方向に回転する。第２の小歯車２０５に係合された第２の蓄勢軸２０６も同様に反時計方向に回転する。
【００５８】
第２の蓄勢軸２０６の回転により、第２の蓄勢軸２０６と合された第２の駆動体（大歯車）２０７が時計方向に回転する。
【００５９】
第２の駆動体（大歯車）２０７が時計方向に回転すると、第２の駆動体（大歯車）２０７に第２の支軸２０８を介して一体的に構成された第２の投入カム２０９も連動して時計方向に回動する。
【００６０】
また、第２の駆動体（大歯車）２０７が時計方向に回転すると、図１２に示すように、第２の投入ラッチローラ２１５も連動して時計方向に回動し、第２の投入ラッチローラ２１５は第２の投入ラッチ２１４の第２のラッチ係合部２１４ａと係合され、第２の駆動体（大歯車）２０７の回動が停止される。
【００６１】
そして、第２の投入ばねロッド２１７は、図１１においては上死点位置にあり、第２の投入ばね２１６が放勢状態であるが、第２の駆動体（大歯車）２０７が時計方向に回転すると、第２の投入ばねロッド２１７の上端部は時計方向に回動し、図１２に示すように、第２の投入ばねロッド２１７は下死点位置まで回動して第２の投入ばね２１６が蓄勢状態に保持される。
【００６２】
図１２に示すように、真空バルブ２６は閉路状態であり、第１の投入ばね１１６および第２の投入ばね２１６が蓄勢状態に保持されることにより、次の真空バルブ２６を閉路状態とするための投入準備が完了する。このように、第１の操作機構部１００および第２の操作機構部２００ともに投入準備が完了した状態となり、第１の操作機構部１００あるいは第２の操作機構部２００のいずれか一方を駆動させることにより、真空バルブ２６を閉路状態とさせることが可能となる。
【００６３】
以上のように、この実施の形態１においては、第１の操作機構部１００および第２の操作機構部２００の切り替え動作により、真空バルブ２６の固定側電極２９と可動側電極３１間の閉極動作、開極動作を行うようにしたので、安定した信頼性の高い真空開閉装置を得ることができる。
【００６４】
上述した従来装置においては、１台のみの操作機構部１４によって真空バルブ１の固定側電極５と可動側電極７間の閉極動作、開極動作を行うものに対し、この実施の形態１によれば、第１の操作機構部１００および第２の操作機構部２００を交互に切り替えることにより、真空バルブ２６の固定側電極２９と可動側電極３１間の閉極動作、開極動作を行うことができるので、上述した従来装置に比べ、装置に掛かる負荷を著しく軽減させることができるので装置の長寿命化を図ることができるとともに、経済的効果に併せ装置の安全性についても高い信頼性を得ることができる。
【００６５】
また、上述した従来装置において、１台のみの操作機構部１４によって真空バルブ１を投入する場合、操作機構部１４の投入ばね（図示せず）が放勢した後は投入ばね（図示せ
ず）が投入エネルギーを蓄勢中であるので投入動作ができないものに対し、この実施の形態１によれば、第１の操作機構部１００および第２の操作機構部２００のいずれにおいても第１の投入ばね１１６および第２の投入ばね２１６が蓄勢された状態を保持することができるので、例えば、第１の操作機構部１００の第１の投入ばね１１６が蓄勢中のときに、真空バルブ２６の投入指令が来た場合には、第２の操作機構部２００の第２の投入ばね２１６が蓄勢されているので、第２の操作機構部２００により真空バルブ２６を投入することができ、信頼性の高い装置を得ることができる。
【００６６】
また、いずれか一方の操作機構部が何らかの異常で動作できない場合には他方の操作機構部により動作させることができるので、緊急時の予備対策としての使用も可能であり、さらに信頼性が向上する。
【００６７】
また、上述した実施の形態１においては、操作機構部が第１の操作機構部１００と第２の操作機構部２００の２台から構成された場合について述べたが、操作機構部を３台あるいはそれ以上で構成するようにしてもよく、装置に掛かる負荷を上述した実施の形態１よりもさらに軽減させることができので装置のさらなる長寿命化を図ることができるとともに、経済的効果に併せ装置の安全性についてもさらに高い信頼性を得ることができる。
【００６８】
ところで、上述した実施の形態１においては、第１の出力レバー１１２と第２の出力レバー２１２が連動して回動するので、第２の操作機構部２００の第２の投入ばね２１６の蓄勢状態の保持、すなわち、真空バルブ２６の閉路状態の保持に際し、第１の保持コイル１２０と第１の引き外しラッチ１１９を兼用して使用した場合について述べたが、図示しないが第２の操作機構部２００にも第２の保持コイルと第２の引き外しラッチを設けるようにしてもよい。
【産業上の利用可能性】
【００６９】
この発明は、例えば電力用の送配電設備あるいは受電設備に用いられ、可動通電部に連結された操作ロッドとこの操作ロッドを蓄勢された投入エネルギーにより駆動する操作機構部とを備えた真空開閉装置に関し、長寿命化を図ることができるとともに高い信頼性を得ることができる真空開閉装置の実現に好適である。
【符号の説明】
【００７０】
２６  真空バルブ
２９  固定側電極
３１  可動側電極
３２  可動通電軸
３８  操作ロッド
３９  主軸
４０  駆動レバー
１００  第１の操作機構部
１０１  第１の出力リンク
１０３  第１のモータ
１０６  第１の蓄勢軸
１０７  第１の駆動体
１０９  第１の投入カム
１１２  第１の出力レバー
１１３  第１の投入コイル
１１４  第１の投入ラッチ
１１６  第１の投入ばね
１１７  第１の投入ばねロッド
１１９  第１の引き外しラッチ
１２０  第１の保持コイル
２００  第２の操作機構部
２０１  第２の出力リンク
２０３  第２のモータ
２０６  第２の蓄勢軸
２０７  第２の駆動体
２０９  第２の投入カム
２１２  第２の出力レバー
２１３  第２の投入コイル
２１４  第２の投入ラッチ
２１６  第２の投入ばね
２１７  第２の投入ばねロッド
２１９  第２の引き外しラッチ
２２０  第２の保持コイル
【図１】
0005618847.tif 000002
【図２】
0005618847.tif 000003
【図３】
0005618847.tif 000004
【図４】
0005618847.tif 000005
【図５】
0005618847.tif 000006
【図６】
0005618847.tif 000007
【図７】
0005618847.tif 000008
【図８】
0005618847.tif 000009
【図９】
0005618847.tif 000010
【図１０】
0005618847.tif 000011
【図１１】
0005618847.tif 000012
【図１２】
0005618847.tif 000013
【図１３】
0005618847.tif 000014